(57)【要約】【課題】プローブを収納可能な絶縁抵抗測定器を提供すること。【解決手段】本発明の絶縁抵抗測定器１は、測定器本体２と、測定器本体２から延びる測定用プローブ３と、測定器本体２から延びる接地用プローブ４とを備える。そして測定器本体２の内部には、測定用プローブ３および接地用プローブ４の巻き取り装置１９が設けられている。本発明の絶縁抵抗測定器１によれば、非測定時にこれらのプローブ３，４を測定器本体２の内部に巻き取ることができる。【選択図】図１
2008180513.tif 000002
【特許請求の範囲】
【請求項１】
測定器本体と、
前記測定器本体から延びる測定用プローブと、
前記測定器本体から延びる接地用プローブと、
前記測定器本体の内部に設けられた、前記測定用プローブおよび前記接地用プローブの巻き取り装置と、を備えることを特徴とする絶縁抵抗測定器。
【請求項２】
前記測定用プローブが先端に測定端子部を備え、前記接地用プローブが先端に接地端子部を備え、前記測定用プローブおよび前記接地用プローブを前記巻き取り装置により前記測定器本体に巻き取る際に、前記測定端子部および前記接地端子部を前記測定器本体の内部へ収納する収納機構を備えることを特徴とする請求項１に記載の絶縁抵抗測定器。
【請求項３】
前記測定端子部および前記接地端子部の先端を、前記測定器本体の内部に収納された状態から、前記測定器本体の外部に突出させる突出機構を有する請求項２に記載の絶縁抵抗測定器。
【請求項４】
測定用プローブ差込部および接地用プローブ差込部を備える絶縁抵抗測定器に装着可能なプローブ収納装置であって、
前記測定用プローブ差込部に差し込み可能な測定側接続端子と、
前記接地用プローブ差込部に差し込み可能な接地側接続端子と、
前記測定側接続端子および前記接地側接続端子が取り付けられている筐体と、
前記筐体から延び且つ前記測定側接続端子と電気的に接続された測定用プローブと、
前記筐体から延び且つ前記接地側接続端子と電気的に接続された接地用プローブと、
前記筐体の内部に設けられた、前記測定用プローブおよび前記接地用プローブの巻き取り装置と、を有することを特徴とするプローブ収納装置。
【発明の詳細な説明】
【技術分野】
【０００１】
本発明は、絶縁抵抗測定器および絶縁抵抗測定器に装着可能なプローブ収納装置に関する。
【背景技術】
【０００２】
絶縁抵抗測定器は、従来、測定器本体と、測定器本体から延びる測定用プローブと、接地用プローブと、を備え、各プローブは、測定器本体に接続されるコードと、コードの先端に取り付けられた端子部とを備える。そして、測定対象物の異なる２点に端子部を接触させて絶縁抵抗が測定される。これらのプローブは、測定のためにある程度の長さが必要であるが、非使用時には邪魔であり、収納も煩雑である。
【０００３】
このため、例えば、各プローブを測定器本体に対して着脱可能とし、非使用時には別途設けられた収納袋に各プローブを束ねて入れるようにした絶縁抵抗測定器もある。また、絶縁抵抗測定器を収納ケースにて覆う構成にし、その収納ケースの本体の側部に、クリップ体を設け、端子部を並列に挟み込んで収納し、さらに本体の側部とクリップ体との間に溝部からなる胴部を設け、この胴部にコードを巻きつけることでコードも収納できるようにしたものもある（特許文献１参照）。
【特許文献１】特開２００４−２５１８０５号公報
【発明の開示】
【発明が解決しようとする課題】
【０００４】
しかし、収納袋を利用する絶縁抵抗測定器は、測定の度に各プローブを収納袋から出して測定器本体に着脱しなければならない。また収納の際には束ねて収納袋に入れなくてはならず作業が煩雑である。また、収納ケースとクリップ体の間に溝部を設ける構成は、測定時には端子部をクリップから外し、さらにコードを溝部から外し、また収納時には再度コードを溝部に巻回して端子部をクリップには挟まなくてはならず、作業が煩雑である。
【０００５】
そこで本発明は、非使用時に測定用プローブおよび接地用プローブを容易に収納することができる絶縁抵抗測定器および絶縁抵抗測定器に装着可能なプローブ収納装置を提供することを目的とする。
【課題を解決するための手段】
【０００６】
具体的には、本発明は以下のものを提供する。
（１）測定器本体と、前記測定器本体から延びる測定用プローブと、前記測定器本体から延びる接地用プローブと、前記測定器本体内部に設けられた、前記測定用プローブおよび前記接地用プローブの巻き取り装置と、を備えることを特徴とする絶縁抵抗測定器。
【０００７】
（１）の発明によれば、測定器本体の内部に測定用プローブと接地用プローブとを巻き取ることのできる巻き取り装置が設けられている。このため、非測定時にはこれらのプローブを測定器本体の内部に巻き取って収納することができる。
【０００８】
（２）前記測定用プローブが先端に測定端子部を備え、前記接地用プローブが先端に接地端子部を備え、前記測定用プローブおよび前記接地用プローブを前記巻き取り装置により前記測定器本体に巻き取る際に、前記測定端子部および前記接地端子部を前記測定器本体の内部へ収納する収納機構を備えることを特徴とする（１）に記載の絶縁抵抗測定器。
【０００９】
（２）の発明によれば、測定用プローブの測定端子部および接地用プローブの接地端子部を測定器本体の内部へ収納する収納機構を備えるため、測定端子部および接地端子部を測定器本体の外部に露出させずに測定器本体内部に収納することができる。したがって、これらの端子部が人体に触れることがない。
【００１０】
（３）前記測定端子部および前記接地端子部の先端を、前記測定器本体の内部に収納された状態から、前記測定器本体の外部に突出させる突出機構を有する（２）に記載の絶縁抵抗測定器。
【００１１】
（３）の発明によれば、測定端子部および接地端子部の先端が測定器本体の外部に突出されるので、これらの端子部を把持して測定用プローブおよび接地用プローブを容易に引き出すことができる。
【００１２】
（４）測定用プローブ差込部および接地用プローブ差込部を備える絶縁抵抗測定器に装着可能なプローブ収納装置であって、前記測定用プローブ差込部に差し込み可能な測定側接続端子と、前記接地用プローブ差込部に差し込み可能な接地側接続端子と、前記測定側接続端子および前記接地側接続端子が取り付けられている筐体と、前記筐体から延び且つ前記測定側接続端子と電気的に接続された測定用プローブと、前記筐体から延び且つ前記接地側接続端子と電気的に接続された接地用プローブと、前記筐体内部に設けられた、前記測定用プローブおよび前記接地用プローブの巻き取り装置と、を有することを特徴とするプローブ収納装置。
【００１３】
（４）の発明によれば、絶縁抵抗測定器に装着可能なプローブ収納装置の内部に測定用プローブと接地用プローブの巻き取り装置が設けられている。このため、非測定時にはこれらのコードを筐体の内部に巻き取ることができ、コードが邪魔にならない。また、プローブ収納装置を取り外して異なる絶縁抵抗測定器に取り付けることができ、既存の種々の絶縁抵抗測定器に対して使用することができる。
【発明の効果】
【００１４】
本発明によれば、絶縁抵抗測定器または絶縁抵抗測定器に取り付け可能なプローブ収納装置が、測定用プローブと接地用プローブの巻き取り装置を有するため、これらプローブを、非測定時において絶縁抵抗測定器の測定器本体またはプローブ収納装置内部に巻き取って収納することができる。したがって非使用時のプローブの収納が容易で、プローブが邪魔にならず、収納時の見栄えも良い。
【発明を実施するための最良の形態】
【００１５】
［第一実施形態］
以下、本発明の第一実施形態の絶縁抵抗測定器１について説明する。図１は絶縁抵抗測定器１の概略上面図である。図示するように絶縁抵抗測定器１は、測定器本体２と、測定器本体２の内部から延び、測定側コード３ａおよびその先端に取り付けられた測定端子部３ｂを有する測定用プローブ３と、同様に接地側コード４ａおよびその先端に取り付けられた接地端子部４ｂを有する接地用プローブ４を備える。
【００１６】
測定器本体２は略矩形形状を有し、その上面２ａには抵抗値や電圧を表示するための表示部８および測定ボタン９が設けられている。また、測定器本体２の内部には、図示しないが、測定端子部３ｂと接地端子部４ｂとの間に所定の測定電圧を加える電圧生成部と、測定電圧が加えられた測定対象物Ｓに流れる電流を検出する電流検出部と、測定電圧および検出された電流に基づいて絶縁抵抗値を算出する算出手段とが設けられている。
【００１７】
測定器本体２の一短辺側の側面７には、２つの孔１１，１２が設けられている。この孔１１，１２からはそれぞれ、所定半径で所定長さで測定器本体２の他短辺側の側面１３に向かって延びる第１開口部１４と、第１開口部１４から連続して径を縮小し、さらに他短辺側の側面１３に向かって延びる第２開口部１５とが設けられ、第２開口部１５は、さらに他短辺側の側面１３近傍に設けられた矩形の内部空間１６に連結している。
【００１８】
図２は、測定器本体２における測定用プローブ３が配置される側の第１開口部１４、第２開口部１５および内部空間１６の部分の断面を示した図である。図示するように、内部空間１６には、測定側コード３ａを巻き取るための巻き取り装置１９、および巻き取り装置１９から延びる測定側コード３ａを第２開口部１５の方向に曲げるためのローラ２０が配置されている。
【００１９】
巻き取り装置１９は、筒状部２２と、筒状部２２の上面および下面から外方に延びる上部フランジ部（図示せず）および下部フランジ部２３とを備える。筒状部２２の内部には、測定器本体２に対して固定される軸部２４と、その軸部２４に一端が固定されて軸部２４に巻回された第１ばね状部材２５とが配置されている。そして、測定用プローブ３が引っ張られると、図２に示すように巻き取り装置１９の筒状部２２が矢印Ａの方向に回転し、第１ばね状部材２５が、その巻きが緩む方向に回転され、第１ばね状部材２５は復元力により付勢された状態となる。この状態で測定用プローブ３を開放すると、第１ばね状部材２５の復元力により各筒状部２２が矢印Ａと逆の方向に回転し、測定側コード３ａが筒状部２２に巻回されるようになっている。
【００２０】
なお、図１に示すように測定器本体２の上面２ａには、上部フランジ部を固定するロック機構２７が設けられている。そして上述のように、測定側コード３ａが引っ張られて第１ばね状部材２５が復元力により付勢された状態において、ロック機構２７により上部フランジ部を固定することにより筒状部２２を固定することができるようになっている。このロック機構は、例えば、測定側コード３ａを引くと、その引かれた状態で自動的にロックされ、次に測定側コード３ａを引いたときにそのロックが解除されるような機構が考えられるが、従来の構成でよいため、その説明は省略する。
【００２１】
また、巻き取り装置も上述の巻き取り装置１９として示した構造に限定されず、各プローブ３，４を測定器本体２の内部に収納できる構造を有していれば、どのような構造であってもよい。例えば、コードを巻きつける筒状部を電気的に又は手動で回動させる構造であってもよい。
【００２２】
図２に示すように測定側コード３ａは、巻き取り装置１９の筒状部２２に巻回され、ローラ２０によって角度を変更されて第２開口部１５に延び、さらに第１開口部１４内に延び、その先端には、測定端子部３ｂが取り付けられている。測定端子部３ｂは、絶縁体で作られたリード棒３０と、リード棒３０の先端に設けられた金属製の棒状の測定端子３１とを有する。
【００２３】
第２開口部１５と第１開口部１４との間には、第２開口部１５と第１開口部１４との径が異なるために段差部３３が形成されている。そして、一端をその段差部３３に固定し、測定側コード３ａを間に挿通させた第２ばね状部材３４が設けられている。第２ばね状部材３４の外径は第２開口部１５の内径より大きく、また、リード棒３０の外径よりも小さい。
【００２４】
図３は、測定器本体２の第１開口部１４および第２開口部１５の部分の概略断面図である。図示するように、測定器本体２の上面２ａの一短辺側の側面７には、第１開口部１４へと通じる貫通孔３５が設けられ、この貫通孔３５には押さえ部材３６が配置されている。図３（ａ）は押さえ部材３６が上に持ち上がった状態を示しており、この状態では、第２ばね状部材３４の力によって測定端子３１が一短辺側の側面７より飛び出した状態となっている。図３（ｂ）は押さえ部材３６が下がった状態を示しており、測定端子３１の先端を押し込んで押さえ部材３６でリード棒３０の端部を押さえることにより、測定端子３１を一短辺側の側面７より内部に収納することができるようになっている。
【００２５】
なお、本実施形態では、説明を容易にするために測定用プローブ３の先端である測定端子３１の収納機構をこのように単純な構造としたが、例えば、測定端子３１を孔１１の内部に押し込むと自動的にリード棒３０の端面が押さえられ、上面２ａに設けられた解除ボタンを押すとロックが解除されて測定端子３１が飛び出すような構造であってもよい。
【００２６】
また、接地用プローブ４は、図１に示すように接地用プローブ４の端子部４ｂが、測定対象物Ｓの所定箇所を挟持して固定できるようにクリップ状に形成されている点が測定用プローブ３と異なるが、接地用プローブ４の他の構造は測定用プローブ３と同様で、測定器本体２の接地用プローブ側の構造は、測定用プローブ側の構造と同様であるため、その説明は省略する。
【００２７】
次に、本形態の絶縁抵抗測定器１の動作について説明する。なお、動作の説明においても測定用プローブ側についてのみ説明するが、接地用プローブ側についても同様である。図３（ａ）の状態において測定端子３１は測定器本体２の一短辺側の側面７から突出している。この突出した測定端子３１を持って引っ張ると、測定用プローブ３は引っ張られ、図２に示すように巻き取り装置１９の筒状部２２が矢印Ａの方向に回転する。そうすると、第１ばね状部材２５は巻きが緩む方向に回転されて、第１ばね状部材２５は元に戻ろうとする復元力により付勢された状態になり、筒状部２２には測定用プローブ３を巻き取る方向に力が加わる。この状態で図１に示すロック機構２７により上部フランジを押さえ、筒状部２２が回転しないように固定する。同様に接地用プローブ４のクリップ形状の端子部４ｂも引き出し、巻き戻らないように固定し、図１に示すように端子部４ｂのクリップ部を測定対象物Ｓの所定箇所に挟み込む。そして測定端子３１を測定対象物の他の箇所に接触させ、測定ボタン９を押すことにより絶縁抵抗を測定する。
【００２８】
絶縁抵抗を測定した後、図１に示す巻き取り装置１９のロック機構２７を解除する。すると第１ばね状部材２５の復元力により各筒状部２２が図２に示す矢印Ａと逆の方向に回転し、測定側コード３ａがそれぞれ第１開口部１４および第２開口部１５を通って筒状部２２に巻回される。その際、端子部３ｂも絶縁抵抗測定器１内部に引っ張られるが、第２ばね状部材３４のばね力によって、測定用プローブ３のすべての部分が第１開口部１４に収納されるのではなく、測定端子３１は図３（ａ）のように、一短辺側の側面７より飛び出している。
【００２９】
次に、図３（ｂ）に示すように、測定端子３１の先端を手で押して第２ばね状部材３４を収縮させて第１開口部１４の内部に収納する。そして押さえ部材３６を下に押してその先端でリード棒３０の端部を押さえることにより、測定端子３１は一短辺側の側面７より内部に収納される。
【００３０】
再度、測定を開始する場合は、押さえ部材３６を上に引き出して、リード棒３０の押さえを解除する。そうすると、第２ばね状部材３４の力によって測定端子３１が一短辺側の側面７より飛び出す。これにより、測定端子３１をつかんで測定用プローブ３を引き出すことが可能となる。
【００３１】
以上、本形態によると、絶縁抵抗測定器１が測定用プローブ３と接地用プローブ４の巻き取り装置１９を有するため、これらプローブ３，４を、非測定時において絶縁抵抗測定器１の測定器本体２の内部に巻き取って収納することができる。したがって非使用時のプローブ３，４の収納が容易で、プローブ３，４が邪魔にならず、収納時の見栄えも良い。また、測定端子３１の先端も測定器本体２の内部に収納可能であるため、収納すれば測定端子３１が人体に触れることがないため、誤って測定ボタンが押されて端子間に高電圧が加わっても安全である。さらに、測定用プローブ３と接地用プローブ４が絶縁抵抗測定器１に取り付けられているため、プローブ３，４を誤って逆に取り付けることがない。
【００３２】
［第二実施形態］
次に、本発明の第二実施形態について説明する。図４は、本発明の構成を示した図である。第二実施形態は、測定用プローブおよび接地用プローブが付属品として絶縁抵抗測定器１０１と別に設けられ、これらの測定用プローブおよび接地用プローブが絶縁抵抗測定器１０１に着脱可能に取り付けられる既存の絶縁抵抗測定器１０１において、測定用プローブおよび接地用プローブを取り外した状態の絶縁抵抗測定器１０１に装着可能なプローブ収納装置１００の形で本発明は実施される。
【００３３】
本形態のプローブ収納装置１００が装着される絶縁抵抗測定器１０１は、第一実施形態の絶縁抵抗測定器１の測定器本体２と同様に、略矩形形状を有し、その上面１０２には、抵抗値や電圧を表示するための表示部１０８と、測定ボタン１０９とが設けられている。また、絶縁抵抗測定器１０１の内部には、図示しないが、測定対象物Ｓに印加するための所定の測定電圧を生成する電圧生成部と、測定電圧が印加された測定対象物Ｓに流れる電流を検出する電流検出部と、測定電圧および検出された電流に基づいて絶縁抵抗値を算出する算出手段とが設けられている。
【００３４】
第一実施形態の絶縁抵抗測定器１と異なる点は、絶縁抵抗測定器１０１の一短辺側の側面１０７に、付属品である測定用プローブの接続端子を差し込むための測定用プローブ差込部１３６および接地用プローブの接続端子を差し込むための接地用プローブ差込部１３７が設けられている点と、第一実施形態において測定器本体２に設けられたコードの巻き取り装置１９が、絶縁抵抗測定器１０１の内部には設けられていない点である。
【００３５】
本実施形態のプローブ収納装置１００は、コの字型の筐体１００ａを備え、筐体１００ａのコの字の内側の形状が絶縁抵抗測定器１０１の外側の３辺で形成される形状と略一致し、絶縁抵抗測定器１０１の外側にプローブ収納装置１００が嵌まるようになっている。
【００３６】
筐体１００ａの内側の中央側部には、測定用プローブ差込部１３６に差し込み可能な測定側接続端子１３８と、接地用プローブ差込部１３７に差し込み可能な接地側接続端子１３９とが設けられている。さらに、筐体１００ａからは、測定側接続端子１３８と電気的に接続された測定用プローブ１０３と、接地側接続端子１３９と電気的に接続された接地用プローブ１０４が延び、筐体１００ａの内部に測定用プローブ１０３と接地用プローブ１０４とを巻き取るための巻き取り装置１１９が設けられている。
【００３７】
図示するように筐体１００ａのコの字の外側の側面１４０には、第一実施形態の測定器本体２の一短辺側の側面７と同様に２つの孔１１１，１１２が設けられている。この孔１１１，１１２はさらに第１開口部１１４、第２開口部１１５、内部空間１１６へと続き、この内部空間１１６の内部に巻き取り装置１１９が設けられている。これらの構造は、筐体１００ａの幅が広くならないように内部空間１１６にローラが設けられていない点以外第一実施形態と同様であるので、その説明は省略する。
【００３８】
次に、本形態のプローブ収納装置１００の使用方法について説明する。まず、図４の状態でプローブ収納装置１００を絶縁抵抗測定器１０１の外側に嵌め込み、プローブ収納装置１００の測定側接続端子１３８および接地側接続端子１３９を絶縁抵抗測定器１０１の測定用プローブ差込部１３６および接地用プローブ差込部１３７にそれぞれ差し込む。これにより各プローブ１０３，１０４と絶縁抵抗測定器１０１の電圧供給部および電流測定部とが接続される。接続後の各プローブ１０３，１０４の引き延ばし方法および巻き取り方法は第一実施形態と同様であるので説明は省略する。
【００３９】
本形態のプローブ収納装置１００は、第一実施形態の絶縁抵抗測定器で得られる効果に加え、プローブが着脱可能に取り付けられる既存の絶縁抵抗測定器に対して装着可能であるため、既存の絶縁抵抗測定器に対しても第一実施形態と同様の効果を得ることができる。
【００４０】
以上、本発明の好適な第二実施形態について説明したが、これに限定されない。例えば、側面にプローブ差込部が設けられた絶縁抵抗測定器に用いられるプローブ収納装置について説明したが、上面にプローブ差込部が設けられた絶縁抵抗測定器に使用可能なように、接続端子をプローブ収納装置の下面に設けてもよい。また、プローブ差込部が側面に設けられている絶縁抵抗測定器と上面に設けられている絶縁抵抗測定器の両方に使用可能なように、接続端子が設けられている面がコード収納部に対して回転できるような構造にすることもできる。さらに絶縁抵抗測定器のプローブ差込部の間隔が異なる場合でも使用可能なように、接続端子間の幅を可変にすることもできる。
【図面の簡単な説明】
【００４１】
【図１】本発明の第一実施形態の絶縁抵抗測定器の概略図である。
【図２】本発明の第一実施形態の測定器本体における測定用プローブ側の概略断面図である。
【図３】本発明の第一実施形態の測定器本体の第１開口部及び第２開口部部分の概略断面図であり、（ａ）はリード棒の押さえが解除されている状態、（ｂ）はリード棒が押さえられている状態を示した図である。
【図４】本発明の第二実施形態のプローブ収納装置の概略図である。
【符号の説明】
【００４２】
１，１０１    絶縁抵抗測定器
２            測定器本体
３，１０３    測定用プローブ
３ａ          測定側コード
３ｂ          測定端子部
４，１０４    接地用プローブ
４ａ          接地側コード
４ｂ          接地端子部
１４，１１４  第１開口部
１５，１１５  第２開口部
１６，１１６  内部空間
１９          巻き取り装置
３０          リード棒
１００        プローブ収納装置
１００ａ      筐体
１３６        測定用プローブ差込部
１３７        接地用プローブ差込部
１３８        測定側接続端子
１３９        接地側接続端子
【図１】
2008180513.tif 000003
【図２】
2008180513.tif 000004
【図３】
2008180513.tif 000005
【図４】
2008180513.tif 000006